(57)【特許請求の範囲】
【請求項１】
販売する商品の商品サンプルを展示するためのサンプル展示室を備えた自動販売機において、
前記サンプル展示室内に前方に向かって面状に発光する面状発光部を設けるとともに、
前記商品サンプル及び面状発光部を、販売する商品の外部形状の少なくとも前面側の形状に形成された複数の商品サンプル部を有する面状発光部と、商品サンプル部の前面側に着脱自在に設けられ、商品の図柄が印刷された表示フィルムとから構成した
ことを特徴とする自動販売機。
【請求項２】
前記面状発光部に、表示フィルムを係止可能な係止孔を設けた
ことを特徴とする請求項１記載の自動販売機。
【請求項３】
前記面状発光部の前面側に設けられ、表示フィルムを係止可能なフィルム係止板を備えた
ことを特徴とする請求項１記載の自動販売機。
【請求項４】
所定の情報を表示可能な表示板が着脱自在に係止され、前記面状発光部に係合可能な表示板取り付け部材を備えた
ことを特徴とする請求項１乃至請求項３の何れか一項記載の自動販売機。
【発明の詳細な説明】
【技術分野】
【０００１】
本発明は、販売する商品のサンプルを展示するためのサンプル展示室を備えた自動販売機に関するものである。
【背景技術】
【０００２】
従来、この種の自動販売機としては、販売する商品の商品サンプルを展示するためのサンプル展示室を備えたものが知られている（例えば、特許文献１参照）。
【先行技術文献】
【特許文献】
【０００３】
【特許文献１】特開２００２−１７５５６１号公報
【発明の概要】
【発明が解決しようとする課題】
【０００４】
従来の自動販売機では、サンプル展示室内の照明として、左右方向に延びる直管状の蛍光灯によって商品サンプルの上方及び下方の一方または両方から商品サンプルを照らすように設けられている。このため、サンプル展示室には、蛍光灯を収納するためのスペースが必要となり、サンプル展示室の前後寸法及び上下寸法を小さくすることは困難である。
【０００５】
本発明は前記問題点に鑑みてなされたものであり、その目的とするところは、サンプル展示室の占有スペースを小さくすることのできる自動販売機を提供することにある。
【課題を解決するための手段】
【０００６】
本発明は前記目的を達成するために、販売する商品の商品サンプルを展示するためのサンプル展示室を備えた自動販売機において、前記サンプル展示室内に前方に向かって面状に発光する面状発光部を設けるとともに、前記商品サンプル及び面状発光部を、販売する商品の外部形状の少なくとも前面側の形状に形成された複数の商品サンプル部を有する面状発光部と、商品サンプル部の前面側に着脱自在に設けられ、商品の図柄が印刷された表示フィルムとから構成している。
【０００７】
これにより、面状発光部から発せられる光によってサンプル展示室内の商品サンプルが照らされることから、商品サンプルの上方及び下方の一方または両方に直管状の蛍光灯を配置する必要がない。また、表示フィルムを交換することにより、販売する商品の表示を切り換えることができる。
【発明の効果】
【０００８】
本発明によれば、面状発光部から発せられる光によってサンプル展示室内の商品サンプルを照らすことができるので、商品サンプルの上方及び下方の一方または両方に直管状の蛍光灯を配置する必要はなく、サンプル展示室の占有スペースを小さくすることが可能となる。また、表示フィルムを交換することにより、販売する商品の表示を切り換えることができ、従来の如き商品サンプルが不要となる。
【図面の簡単な説明】
【０００９】
【図１】本発明の前提技術となる自動販売機の全体斜視図
【図２】自動販売機の側面断面図
【図３】外扉の要部正面図
【図４】外扉の要部側面断面図
【図５】表示板取り付け部材及び表示板の斜視図
【図６】表示板取り付け部材の面発光パネルへの取り付け方法を示す斜視図
【図７】その他の例を示す外扉の要部側面断面図
【図８】本発明の第１の実施形態を示す面発光パネル及び商品サンプルを示す斜視図
【図９】面発光パネル及び商品サンプルを示す分解斜視図
【図１０】本発明の第２の実施形態を示す面発光パネル及び商品サンプルを示す斜視図
【図１１】面発光パネル及び商品サンプルを示す分解斜視図
【発明を実施するための形態】
【００１０】
図１乃至図６は本発明の前提技術となっている自動販売機を示すもので、図１は自動販売機の全体斜視図、図２は自動販売機の側面断面図、図３は外扉の要部正面図、図４は外扉の要部側面断面図、図５は表示板取り付け部材及び表示板の斜視図、図６は表示板取り付け部材の面発光パネルへの取り付け方法を示す斜視図である。
【００１１】
この自動販売機は、前面に開口部を有する自動販売機本体１０と、左右方向一端側が自動販売機本体１０の開口部の左右方向一端側に回転自在に支持され、自動販売機本体１０の開口部を開閉する外扉２０とを備えている。
【００１２】
自動販売機本体１０は、内部を上下に仕切ることにより上部に商品収納室１１が設けられ、下部に機械室１２が設けられている。商品収納室１１は、上面側、背面側、底面側及び左右両側面側が断熱材１１ａによって囲まれている。商品収納室１１には、缶入り飲料またはペットボトル入り飲料等の商品を上下に積み重ねて収納し、下端側から商品を一つずつ搬出可能な商品収納コラム１１ｂが複数設けられている。また、商品収納室１１の下部には、各商品収納コラム１１ｂから下方に搬出された飲料を前方に案内するための傾斜板１１ｃが前下がりに傾斜するように設けられている。傾斜板１１ｃの下方には、商品収納室１１内を冷却するための冷却器１１ｄ及び冷却器用送風機１１ｅが設けられている。更に、商品収納室１１の前面は、左右方向一端側が自動販売機本体１０に回転自在に支持された断熱性の内扉１３によって開閉されるようになっている。内扉１３の下部には、商品収納室１１内と外扉２０側を連通する商品搬出口１３ａが左右方向に複数設けられ、各商品搬出口１３ａの上端には商品搬出口１３ａを開閉するための搬出扉１３ｂが回転自在に支持されている。また、機械室１２内には、圧縮機１２ａ、凝縮器１２ｂ及び凝縮器用送風機１２ｃ等の冷凍機器が収納されている。
【００１３】
外扉２０には、自動販売機本体１０内に収納される販売商品の商品サンプル３０を展示するためのサンプル展示室２１、商品選択スイッチ２２、硬貨投入口２３、紙幣投入口２４、表示パネル２５、返却レバー２６、外扉２０開閉用のハンドル２７、硬貨返却口２８及び商品取出口２９が設けられている。
【００１４】
サンプル展示室２１は、内部を視認可能なように前面側が樹脂製の透明板２１１によって覆われており、透明板２１１の前面に商品選択スイッチ２２が設けられている。また、サンプル展示室２１は、上面側、底面側、左右両面側及び背面側がそれぞれ、鋼板等からなる上面板２１２、底面板２１３、側板２１４及び背面板２１５によって覆われている。また、背面板２１５は、左右方向一端側が外扉２０に回転自在に支持されており、サンプル展示室２１を外扉２０の背面側から開閉するようになっている。
【００１５】
背面板２１５の前面側には、商品サンプル３０をサンプル展示室２１内に設置するための複数のサンプル展示台２１６と、商品サンプル３０を背面側から照らすための複数のＬＥＤ基板２１７と、ＬＥＤ基板２１７と商品サンプル３０との間に設けられ、ＬＥＤ基板２１７に設けられた発光源としての発光ダイオード（ＬＥＤ）２１７ａの光を拡散させて商品サンプル３０の背面側の全面から均一に発光させるための複数の面発光パネル２１８とが設けられている。
【００１６】
商品サンプル３０は、販売される商品と同様の形状に形成された中空状の部材からなり、サンプル展示台２１６の後述する取り付け孔と係合可能な差し込み部３１が下端側に設けられている。また、商品サンプル３０は、合成樹脂等の透明な材料に販売する商品と同じ図柄を印刷するか、または同じ図柄が印刷されたフィルムを貼り付けることにより透光性を有するように設けられ、背面側からの光によって照らされるようになっている。
【００１７】
各サンプル展示台２１６は、それぞれ左右方向に延びるように設けられ、互いに上下方向に間隔をおいて設けられている。また、サンプル展示台２１６は、上面に略円形状に形成された商品サンプル３０用の取り付け孔２１６ａが左右方向に間隔をおいて複数設けられ、商品サンプル３０の差し込み部３１が係合するようになっている。更に、サンプル展示台２１６の前面には、商品の価格等の表示が可能となっている。また、サンプル展示台２１６は、左右両側が背面板２１５に固定された展示台支持部材２１６ｂによって着脱自在に支持されている。
【００１８】
展示台支持部材２１６ｂは、背面板２１５の前面側を左右方向に延びるように設けられ、サンプル展示台２１６の左右両側を支持するための支持部２１６ｃが左右両側に設けられている。また、展示台支持部材２１６ｂの上面には、左右方向に延びる溝状に形成され、面発光パネル２１８の下端側を支持するためのパネル支持部２１６ｄが設けられている。更に、展示台支持部材２１６ｂの下面には、下方に延びるように設けられ、面発光パネル２１８の上端の背面側が接触するパネル接触部２１６ｅが設けられている。
【００１９】
各ＬＥＤ基板２１７は、それぞれ左右方向に延びるように設けられ、互いに上下方向及び左右方向に間隔をおいて配置されている。各ＬＥＤ基板２１７には左右方向に間隔をおいて複数の発光ダイオード２１７ａが設けられており、各商品サンプル３０の背面側に上下に２個または３個の発光ダイオード２１７ａが並ぶようになっている。これにより、背面板２１５の前面側には全面に亘って均一に発光ダイオード２１７ａが配置されるようになっている。
【００２０】
各面発光パネル２１８は、合成樹脂等からなる拡散板であり、透過する光を拡散させることにより全面から均一に発光するものである。各面発光パネル２１８は、それぞれ下端側を展示台支持部材２１６ｂのパネル支持部２１６ｄに挿入し、上下に並べられた全ての面発光パネル２１８の左右両側を左右一対のパネル押さえ部材２１８ａによって前面側から押さえ付けることにより、商品サンプル３０と背面板２１５との間に取り付けられるようになっている。更に、各面発光パネル２１８には、面発光パネル２１８の背面側に冷温の表示や広告の表示が印刷された透過性の表示板４０を取り付けるための表示板取り付け部材２１９が着脱自在に取り付けられるようになっている。
【００２１】
表示板取り付け部材２１９は、合成樹脂製の透明な板状部材からなり、面発光パネル２１８の上端に吊り下げられるように係合可能なフック状の係合部２１９ａが上端側に設けられている。また、表示板取り付け部材２１９には、表示板４０の四隅をそれぞれ挿入可能な複数のスリット２１９ｂが設けられ、表示板４０の四隅をそれぞれ各スリット２１９ｂに挿入することにより表示板取り付け部材２１９に表示板４０が取り付けられるようになっている。
【００２２】
以上のように構成された自動販売機において、各ＬＥＤ基板２１７に設けられた各発光ダイオード２１７ａから発せられる光は、面発光パネル２１８を透過することにより拡散され、面発光パネル２１８の全面から均一に発光する。これにより、商品サンプル３０は面発光パネル２１８から発せられる光によって背面側から照らされ、前方に向かって販売商品を表示する。
【００２３】
また、面発光パネル２１８に、例えばＣＯＬＤまたはＨＯＴ等の表示が印刷された表示板４０を取り付けた表示板取り付け部材２１９を取り付けることにより、表示板４０は発光ダイオード２１７ａから発せられる光によって背面側から照らされ、面発光パネル２１８を介して前方に向かって販売商品の冷却または加熱の状態を表示することが可能となる。
【００２４】
このように、この自動販売機によれば、サンプル展示室２１内に設置される商品サンプル３０の背面側に、前方に向かって面状に発光するＬＥＤ基板２１７及び面発光パネル２１８を設けたので、面発光パネル２１８から発せられる光によってサンプル展示室２１内の商品サンプル３０を照らすことができ、商品サンプル３０の上方及び下方の一方または両方に直管状の蛍光灯を配置する必要はなく、サンプル展示室２１の占有スペースを小さくすることが可能となる。
【００２５】
また、サンプル展示室２１の背面側全体に面発光パネル２１８を設けたので、サンプル展示室２１の背面側全体から発せられる光によってサンプル室２１内を照明することができ、サンプル展示室２１内の全ての商品サンプル３０それぞれ鮮明に照らすことが可能となる。
【００２６】
また、面発光パネル２１８に、所定の情報を表示可能な表示板４０を設けたので、面発光パネル２１８を利用して冷温表示や広告表示等の情報を表示することができ、販売促進効果を向上させることが可能となる。
【００２７】
また、面発光パネル２１８に表示板４０を着脱自在に設けたので、販売する商品の切換等に容易に対応することができ、販売する商品の切換作業の作業工数を低減することが可能となる。
【００２８】
また、表示板４０を着脱自在に係止するとともに、面発光パネル２１８の上端に係合可能な表示板取り付け部材２１９を備えたので、面発光パネル２１８の上端に表示板取り付け部材２１９を着脱することにより、表示板４０を着脱することができ、販売する商品の切換作業の作業工数を更に低減することが可能となる。
【００２９】
また、発光源として発光ダイオード２１７ａを用いたので、蛍光灯と比較して占有スペースを小さくすることができ、装置の小型化を図ることが可能となる。また、蛍光灯と比較して寿命が長いため、定期的な蛍光灯の交換のようなメンテナンス作業を必要としないという利点がある。
【００３０】
尚、前記前提技術では、背面板２１５に設けられた複数のＬＥＤ基板２１７と複数のＬＥＤ基板２１７の前面側に設けられた拡散板からなる面発光パネル２１８によってサンプル展示室２１の背面側を前方に向かって面状に発光させるようにしたものを示したが、端部から入射する光を反射させることにより前方に向かって出射させる導光板からなる面発光パネルと、ＬＥＤ基板等の発光源とからサンプル展示室２１の背面側を面状に発光させるようにしても良い。また、有機ＥＬ等を用いてサンプル展示室２１の背面側を面状に発光させるようにしてもよい。この場合、面発光パネルの前面側に表示板４０を設けることにより、冷温の表示や広告等の情報の表示をすることが可能となる。
【００３１】
また、前記前提技術では、表示板取り付け部材２１９に複数のスリット２１９ｂを設け、表示板４０の四隅をスリット２１９ｂに挿入することにより、表示板取り付け部材２１９に表示板４０を取り付けるようにしたものを示したが、表示板取り付け部材に、表示板４０の上端側及び下端側を係止可能な係止部を設けることにより、表示板取り付け部材に表示板４０を取り付けるようにしてもよい。
【００３２】
また、前記前提技術では、背面板２１５に設けられた発光ダイオード２１７ａによって面発光パネル２１８を発光させるようにしたものを示したが、他の発光体によって面発光パネル２１８を発光させるようにしてもよい。
【００３３】
また、前記前提技術では、面発光パネル２１８から発せられる光を商品サンプル３０の背面側から照射し、商品サンプル３０を照明するようにしたものを示したが、図７に示すように、各サンプル展示台２１６の各取り付け孔２１６ａに設けられ、取り付け孔２１６ａに取り付けられた商品サンプル３０を商品サンプル３０の内部から照明するための発光ダイオード２２０を備えるようにしてもよい。この場合、商品サンプル３０２を商品サンプル３０の内部から直接照明することができるので、商品サンプル室２１内に設置される商品サンプル３０をより目立たせることが可能となる。
【００３４】
図８及び図９は本発明の第１の実施形態を示すもので、図８は面発光パネル及び商品サンプルを示す斜視図、図９は面発光パネル及び商品サンプルを示す分解斜視図である。尚、前記前提技術と同様の構成部分には同一の符号を付して示す。
【００３５】
この自動販売機は、前提技術に示す商品サンプル３０及び面発光パネル２１８の代わりに、販売する商品の外部形状の前面側が一体に形成された面発光パネル２２１と、面発光パネル２２１に着脱自在に設けられ、透光性を有する表示フィルム２２２とを備えているもので、その他の構成は前提技術と同様である。
【００３６】
面発光パネル２２１は、販売する商品の外部形状の前面側半分と同じ形状に形成した半円筒部２２１ａが前面側の左右方向に複数設けられている。各半円筒部２２１ａの左右両側及び左右方向に並ぶ半円筒部２２１ａの下方には、表示フィルム２２２を係止するための係止孔２２１ｂが設けられている。
【００３７】
表示フィルム２２２は、販売する商品の図柄、冷温の表示や広告の表示等が印刷され、左右両側に面発光パネル２２１の係止孔２２１ｂと係合可能な係合部２２２ａが設けられている。販売する商品の図柄が印刷された表示フィルム２２２は、半円筒部２２１ａの前面側に取り付けられ、冷温の表示が印刷された表示フィルム２２２は、半円筒部２２１ａの下方に取り付けられるようになっている。
【００３８】
以上のように構成された自動販売機において、各ＬＥＤ基板２１７に設けられた各発光ダイオード２１７ａから発せられる光は、面発光パネル２２１を透過することにより拡散され、面発光パネル２２１の全面から均一に発光する。
【００３９】
これにより、各半円筒部２２１ａ及び左右方向に並ぶ半円筒部２２１ａの下方に取り付けられた表示フィルム２２２は、面発光パネル２２１から発せられる光によって背面側から照らされ、前方に向かって販売商品及び冷温表示を表示する。
【００４０】
このように、本実施形態の自動販売機によれば、販売する商品の外部形状の前面側の形状に形成された複数の半円筒部２２１ａを有する面発光パネル２２１と、半円筒部２２１ａの前面側に着脱自在に設けられ、商品の図柄が印刷された表示フィルム２２２とを備えたので、表示フィルム２２２を交換することにより販売する商品の表示を切り換えることができ、販売する商品の切り換え時に商品サンプルそのものが必要なくなるため、製造コストを低減することが可能となる。
【００４１】
また、面発光パネル２２１に、表示フィルム２２２を係止可能な係合孔２２１ｂを設けたので、表示フィルム２２２の係合部２２２ａを係止孔２２１ｂに係合させる簡単な構造によって面発光パネル２２１に表示フィルム２２２を係止することができ、製造コストが高くなることを防止することが可能となる。
【００４２】
図１０及び図１１は本発明の第２の実施形態を示すもので、図１０は面発光パネル及び商品サンプルを示す斜視図、図１１は面発光パネル及び商品サンプルを示す分解斜視図である。尚、前記前提技術と同様の構成部分には同一の符号を付して示す。
【００４３】
この自動販売機は、係止孔２２１ｂを有していない第１の実施形態の面発光パネル２２１と、面発光パネル２２１の前面側に着脱自在に設けられた表示フィルム２２２と、面発光パネル２２１の前面側に設けられ、表示フィルム２２２を係止するためのフィルム係止板２２３とを備えている。
【００４４】
フィルム係止板２２３は、例えばポリエチレンテレフタレート等の合成樹脂製の透明板からなり、面発光パネル２２１の前面側に重ねて取り付けられるようになっている。フィルム係止板２２３は、半円筒部２２１ａに対応する位置に開口部２２３ａが設けられ、面発光パネル２２１の前面側に重ねることにより開口部２２３ａから半円筒部２２１ａが前方に露出するようになっている。また、フィルム係止板２２３の開口部２２３ａの左右両側には、表示フィルム２２２の係合部２２２ａと係合可能な係止部２２３ｂが設けられ、開口部２２３ａに表示フィルム２２２が係止されるようになっている。更に、フィルム係止板２２３の開口部２２３ａの下方には、冷温の表示が印刷された表示フィルム２２２の係合部２２２ａと係合可能な係止孔２２３ｃが設けられ、フィルム係止板２２３に冷温の表示が印刷された表示フィルム２２２が係止されるようになっている。
【００４５】
以上のように構成された自動販売機において、各ＬＥＤ基板２１７に設けられた各発光ダイオード２１７ａから発せられる光は、面発光パネル２２１を透過することにより拡散され、面発光パネル２２１の全面から均一に発光する。
【００４６】
これにより、各半円筒部２２１ａ及び左右方向に並ぶ半円筒部２２１ａの下方に取り付けられた表示フィルム２２２は、面発光パネル２２１から発せられる光によって背面側から照らされ、前方に向かって販売商品及び冷温表示を表示する。
【００４７】
このように、本実施形態の自動販売機によれば、面発光パネル２２１の前面側に設けられ、表示フィルム２２２を係止可能なフィルム係止板２２３を備えたので、面発光パネル２２１に表示フィルム２２２を取り付けるための加工を施す必要はなく表示フィルム２２２を面発光パネル２２１の前面側に取り付けることができ、面発光パネル２２１の加工工数を低減することが可能となる。
【符号の説明】
【００４８】
２１…サンプル展示室、３０…商品サンプル、４０…表示板、２１５…背面板、２１７…ＬＥＤ基板、２１７ａ…発光ダイオード、２１８…面発光パネル、２１９…表示板取り付け部材、２１９ａ…係合部、２１９ｂ…スリット、２２０…発光ダイオード、２２１…面発光パネル、２２１ａ…半円筒部、２２１ｂ…係止孔、２２２…表示フィルム、２２２ａ…係合部、２２３…フィルム係止板、２２３ｂ…係止部、２２３ｃ…係止孔。
【図１】
0005497204.tif 000002
【図２】
0005497204.tif 000003
【図３】
0005497204.tif 000004
【図４】
0005497204.tif 000005
【図５】
0005497204.tif 000006
【図６】
0005497204.tif 000007
【図７】
0005497204.tif 000008
【図８】
0005497204.tif 000009
【図９】
0005497204.tif 000010
【図１０】
0005497204.tif 000011
【図１１】
0005497204.tif 000012